(57)【要約】【課題】１つの表示画面を用いて複数の映像を出力する際、視聴対象の映像に対応した音声を聴取することができる画像音声再生システムを提供する。【解決手段】画像音声出力装置の表示画面に表示される複数の画像のうち１つの画像を再生する画像再生部と、画像音声出力装置から出力される、複数の画像にそれぞれ対応した複数の音声信号を受信する音声受信部と、画像音声出力装置から送信される、複数の音声信号が複数の画像のうちどの画像に対応する音声信号であるか表す識別情報を含む同期信号に基づいて、音声受信部によって受信した音声信号から再生対象である音声信号を選択する音声選択部と、音声選択部によって選択された音声信号を再生する音声再生部と、を有する。【選択図】図１
2012191507.tif 000002
【特許請求の範囲】
【請求項１】
画像音声出力装置と当該画像音声出力装置から出力される画像と音声を再生する受信装置とを有する画像音声再生システムであって、
前記画像音声出力装置は、
複数の画像を同時に１つの表示画面に表示する画像表示部と、
前記複数の画像にそれぞれ対応した複数の音声信号を出力する音声出力部と、
前記複数の音声信号が前記複数の画像のうちどの画像に対応する音声信号であるか表す識別情報を含む同期信号を送信する同期信号送信部と、
受信装置は、
前記画像表示部に表示される複数の画像のうち１つの画像を再生する画像再生部と、
前記音声出力部から出力される音声信号を受信する音声受信部と、
前記同期信号送信部から送信される同期信号に基づいて、前記音声受信部によって受信した音声信号から再生対象である音声信号を選択する音声選択部と、
前記音声選択部によって選択された音声信号を再生する音声再生部と、
を有することを特徴とする画像音声再生システム。
【請求項２】
前記受信装置は、
前記画像表示部に表示される複数の画像から表示対象である１つの画像を選択する画像選択部を有し、
前記画像再生部は、前記画像選択部によって選択された画像を再生する
ことを特徴とする請求項１記載に画像音声再生システム。
【請求項３】
前記受信装置の画像選択部は、
前記複数の画像のうち視聴対象の画像を選択する選択指示を外部から入力し、当該選択指示に応じた画像を選択して再生する
ことを特徴とする請求項２記載の画像音声再生システム。
【請求項４】
前記画像音声出力装置は、
前記複数の画像のうち視聴対象の画像を選択する選択指示を外部から入力し、当該選択指示に応じた画像を前記受信装置の画像選択部に選択させる画像選択部
を有することを特徴とする請求項２記載の画像音声再生システム。
【請求項５】
前記受信装置の音声選択部は、
前記同期信号送信部から送信された同期信号に含まれる音声受信部が受信する複数の音声信号のうち再生対象となる音声信号に対応する識別情報を選択する選択指示を外部から入力し、当該選択指示に応じた識別情報に対応する音声信号を選択し、前記音声再生部に再生させる
ことを特徴とする請求項１から請求項４のうちいずれか１項に記載の画像音声再生システム。
【請求項６】
画像音声出力装置と当該画像音声出力装置から出力される画像と音声を再生する受信装置とを有する画像音声再生システムにおける受信装置であって、
前記画像音声出力装置の表示画面に表示される複数の画像のうち１つの画像を再生する画像再生部と、
前記画像音声出力装置から出力される、前記複数の画像にそれぞれ対応した複数の音声信号を受信する音声受信部と、
前記画像音声出力装置から送信される、前記複数の音声信号が前記複数の画像のうちどの画像に対応する音声信号であるか表す識別情報を含む同期信号に基づいて、前記音声受信部によって受信した音声信号から再生対象である音声信号を選択する音声選択部と、
前記音声選択部によって選択された音声信号を再生する音声再生部と、
を有することを特徴とする受信装置。
【発明の詳細な説明】
【技術分野】
【０００１】
本発明は、画像音声再生システム、受信装置処理に関する。
【背景技術】
【０００２】
１つの表示装置を用いて、複数の映像を同時に表示することによって、１つの画面を用いて複数の人が異なる映像を見ることができるシステムが提供されている。例えば、同一の画面上に異なる画像を同時に表示し、それを複数人で個別に見られる表示システムについて提案されている（特許文献１）。この技術においては、音声については、従来技術で対応可能である、とされている。具体的には、表示装置にイヤホーンを接続することで、音声を聞くことができるものである。
【先行技術文献】
【特許文献】
【０００３】
【特許文献１】特開昭６２−６５５８０号公報
【発明の概要】
【発明が解決しようとする課題】
【０００４】
しかしながら、特許文献１に示す表示システムでは、画像（映像）のみを個別に認識することができるが、それぞれの画像に対応した音声を個別に聴取する技術について開示されていない。すなわち、イヤホーンを接続したとしても、１つの音声を複数人で聞くことになり、そうすると画像（映像）と一致しない音声を聴取する場合が発生してしまう。具体的には、例えば、ＡとＢの２つの番組を１つの画面上に表示する場合、２人のユーザのうち、一方のユーザが番組Ａを見て、他方のユーザが番組Ｂを見ることができるが、音声は、１種類すなわち、番組Ａ（あるいは番組Ｂ）の音声しか出力されないため、他方の番組を見ているユーザは、自分が見ている番組の音声を聞くことができない。
【０００５】
本発明は、このような事情に鑑みてなされたもので、その目的は、１つの表示画面を用いて複数の映像を出力する際、視聴対象の映像に対応した音声を聴取することができる画像音声再生システムを提供することにある。
【課題を解決するための手段】
【０００６】
上述した課題を解決するために、本発明は、画像音声出力装置と当該画像音声出力装置から出力される画像と音声を再生する受信装置とを有する画像音声再生システムであって、
前記画像音声出力装置は、複数の画像を同時に１つの表示画面に表示する画像表示部と、前記複数の画像にそれぞれ対応した複数の音声信号を出力する音声出力部と、前記複数の音声信号が前記複数の画像のうちどの画像に対応する音声信号であるか表す識別情報を含む同期信号を送信する同期信号送信部と、受信装置は、前記画像表示部に表示される複数の画像のうち１つの画像を再生する画像再生部と、前記音声出力部から出力される音声信号を受信する音声受信部と、前記同期信号送信部から送信される同期信号に基づいて、前記音声受信部によって受信した音声信号から再生対象である音声信号を選択する音声選択部と、前記音声選択部によって選択された音声信号を再生する音声再生部と、を有することを特徴とする。
【０００７】
また、本発明は、上述した画像音声再生システムにおいて、前記受信装置は、前記画像表示部に表示される複数の画像から表示対象である１つの画像を選択する画像選択部を有し、前記画像再生部は、前記画像選択部によって選択された画像を再生することを特徴とする。
【０００８】
また、本発明は、上述した画像音声再生システムにおいて、前記受信装置の画像選択部は、前記複数の画像のうち視聴対象の画像を選択する選択指示を外部から入力し、当該選択指示に応じた画像を選択して再生することを特徴とする。
【０００９】
また、本発明は、上述した画像音声再生システムにおいて、前記画像音声出力装置は、前記複数の画像のうち視聴対象の画像を選択する選択指示を外部から入力し、当該選択指示に応じた画像を前記受信装置の画像選択部に選択させる画像選択部を有することを特徴とする。
【００１０】
また、本発明は、上述した画像音声再生システムにおいて、前記受信装置の音声選択部は、前記同期信号送信部から送信された同期信号に含まれる音声受信部が受信する複数の音声信号のうち再生対象となる音声信号に対応する識別情報を選択する選択指示を外部から入力し、当該選択指示に応じた識別情報に対応する音声信号を選択し、前記音声再生部に再生させることを特徴とする。
【００１１】
また、本発明は、上述した画像音声再生システムにおいて、画像音声出力装置と当該画像音声出力装置から出力される画像と音声を再生する受信装置とを有する画像音声再生システムにおける受信装置であって、前記画像音声出力装置の表示画面に表示される複数の画像のうち１つの画像を再生する画像再生部と、前記画像音声出力装置から出力される、前記複数の画像にそれぞれ対応した複数の音声信号を受信する音声受信部と、前記画像音声出力装置から送信される、前記複数の音声信号が前記複数の画像のうちどの画像に対応する音声信号であるか表す識別情報を含む同期信号に基づいて、前記音声受信部によって受信した音声信号から再生対象である音声信号を選択する音声選択部と、前記音声選択部によって選択された音声信号を再生する音声再生部と、を有することを特徴とする。
【発明の効果】
【００１２】
以上説明したように、この発明によれば、画像音声出力装置から、１つの表示画面に複数の画像を表示し、これら画像に対応する音声をそれぞれ出力する。受信装置は、複数の画像のうち、選択された１つの画像を再生するとともに、複数の音声信号のうち、画像音声出力装置から送信される同期信号をもとに、音声信号を選択して再生する。これにより、１つの表示画面を用いて複数の画像を出力する場合であっても、これらの画像に対応する音声を選択して聞くことが可能となる。
【図面の簡単な説明】
【００１３】
【図１】この発明の一実施形態による画像音声再生システムの構成を示す概略ブロック図である。
【図２】画像表示装置１０の構成を表すブロック図である。
【図３】再生システム２０の構成を表すブロック図である。
【図４】画像音声再生システムの動作を説明するタイミングチャートである。
【図５】入力される画像信号の他の例を説明する図である。
【図６】第２の実施形態における再生システム２０の構成を説明する図である。
【図７】画像表示装置１０に備えられるリモコンの一部を表す図である。
【図８】再生システム２０が画像及び音声を選択する手順を表すフローチャートである。
【図９】画像表示装置１０の他の実施形態を表すブロック図である。
【発明を実施するための形態】
【００１４】
以下、本発明の一実施形態による画像音声再生システムについて図面を参照して説明する。図１は、この発明の一実施形態による画像音声再生システムの構成を示す概略ブロック図である。
画像音声再生システム１は、画像表示装置１０と、画像表示装置１０から出力される画像と音声と再生する複数の再生システム２０とによって構成される。
画像表示装置１０は、１つの表示画面によって複数の画像を表示する画像表示手段１０３と、画像表示手段１０３に表示される画像に対応する複数の音声を再生システムへ送信する音声送信手段１０６と、同期信号送信手段１０８とを有する。
【００１５】
この画像表示装置１０は、時分割方式または空間分割方式によって、１つの表示画面に複数の画像を表示する。例えば、３Ｄテレビの原理を用いることで実現する。
具体的に、時分割方式とは、第１の画像と第２の画像を交互に出力し、再生システム側において、一方の画像（例えば第１の画像）の出力タイミングに従って、一方の画像のみ選択して視聴可能に透過させることで、ユーザに一方の画像を視聴させる。この場合、他の再生システムにおいて、他方の画像のみ選択して視聴させることで、１つの表示画面を用いて複数のユーザが、異なる画像を視聴することができる。
【００１６】
空間分割方式とは、表示画面にパターン位相差板を配置し、表示画面を横方向に複数に分割し、例えば、分割された領域のうち、奇数行の領域を用いて第１の画像を表示し、偶数行の領域を用いて第２の画像を表示する。そして、奇数行のみ選択して表示する再生システムと、偶数行のみ選択して表示する再生システムとを用いることで、１つの表示画面を用いて複数のユーザが、異なる画像を視聴することができる。なお、再生システムでは、右目と左目に対応するレンズとして、奇数行のみ透過する偏光レンズを両眼に設けることで、第１の画像が視聴可能であり、偶数行のみ透過する偏光レンズを両眼に設けることで、第２の画像が視聴可能である。
【００１７】
再生システム２０は、画像再生装置２１と音声再生装置２２とを有する。画像再生装置２１は、例えば、形状がメガネ状であり、再生対象の画像を選択して透過させることで、表示画面に表示された画像のいずれか１つを再生する。この再生方法としては、パッシブ型とアクティブ型とがある。パッシブ型は、表示画面に右方向と左方向の円偏光のいずれかに第１の画像を割り当て、他方に第２の画像を割り当て、交互に表示する。再生システム側において、左右のレンズに同じ円偏光（右方向または左方向）のレンズを設けることで、第１の画像のみを視聴可能にしたり、第２の画像のみを視聴可能にする。
アクティブ型は、表示画面に第１の画像と第２の画像を交互に表示し、再生システム側において、第２の画像が表示されるタイミングのみシャッターを閉にすることで、第１の画像のみ視聴可能にしたり、あるいは、第１の画像が表示されるタイミングのみシャッターを閉にすることで、第２の画像のみ視聴可能にする。このシャッターは、例えば、液晶シャッターが用いられる。
【００１８】
再生システム２０は、画像再生装置２１と音声再生装置２２は、その組み合わせが１対１で対応している必要がある。ここでは、ＮＦＣ（Ｎｅａｒ  Ｆｉｅｌｄ  Ｃｏｍｍｕｎｉｃａｔｉｏｎ）や人体通信等の手段を用いることで、自動的にペアリングを行うようにしてもよい。
【００１９】
この実施形態においては、一例として、複数のチャンネルを再生するテレビにおいて、第１の画像として、Ａチャンネル、第２の画像としてＢチャンネルを再生する場合について説明する。例えば、Ａチャンネルではスポーツ番組が放送されており、Ｂチャンネルではニュースが放送されている。
【００２０】
次に、上述の画像音声再生システムについて図面を用いてさらに説明する。
図２は、画像表示装置１０の構成を表すブロック図である。
画像入力手段１０１は、例えば、チューナであり、デコードされた映像信号を入力する。ここで入力される映像信号は、２つである。例えば、テレビ番組を受信して表示する場合には、第１のチャンネル（Ａチャンネル）と第２のチャンネル（Ｂチャンネル）、のように、異なるチャンネルの両方の映像信号が入力される。また、画像入力手段１０１は、ユーザによって選択された２つのチャンネルの映像信号を受信する。例えば、ＡチャンネルをＣチャンネルに切り替えるようにリモコン等によって操作されると、第１のチャンネルではＣチャンネルの映像信号を受信し、第２のチャンネルではＢチャンネルの映像信号を受信する。
【００２１】
画像生成手段１０２は、画像入力手段１０１に入力された２つの映像信号を１つの映像信号として生成する。
画像表示手段１０３は、例えば、液晶パネルであり、画像生成手段１０２によって生成された映像信号に従って画像を表示する。
音声入力手段１０４は、例えば、チューナであり、画像入力手段１０１に入力される２つの映像信号に対応する音声信号を入力する。例えば、第１の音声信号（Ａチャンネルの音声信号）と第２の音声信号（Ｂチャンネルの音声信号）を入力する。音声入力手段１０４は、画像入力手段１０１と同様に、ユーザによってチャンネルが変更されると、変更された後のチャンネルの音声信号を入力する。
音声生成手段１０５は、音声入力手段１０４が入力した第１及び第２の音声信号を音声送信手段１０６に出力する。
音声送信手段１０６は、音声生成手段１０５から出力される第１および第２の音声信号を無線によって出力する。
【００２２】
同期信号生成手段１０７は、複数の音声信号が前記複数の画像のうちどの画像に対応する音声信号であるか表す識別情報を含む同期信号を生成する。同期信号送信手段１０８は、同期信号生成手段１０７によって生成された同期信号を無線によって送信する。
【００２３】
図３は、再生システム２０の構成を表すブロック図である。
同期信号入力手段２０１は、同期信号送信手段１０８から送信される同期信号を受信する。
画像選択手段２０２は、画像表示手段１０３に表示される複数の画像から表示対象である１つの画像を選択する。
選択画像表示手段２０３は、画像表示手段１０３に表示される複数の画像のうち、画像選択手段２０２によって選択された１つの画像を表示する。
音声受信手段２０４は、音声送信手段１０６から送信される音声信号を受信する。
音声選択手段２０５は、同期信号入力手段２０１から入力された同期信号に基づいて、音声受信手段２０４によって受信した音声信号から再生対象である音声信号を選択する。
この音声選択手段２０５は、同期信号送手段１０８から送信された同期信号に含まれる、音声受信手段２０４が受信する複数の音声信号のうち再生対象となる音声信号に対応する識別情報を選択する選択指示を画像・音声決定手段２０７から入力し、当該選択指示に応じた識別情報に対応する音声信号を選択し、前記音声再生部によって再生する。
【００２４】
音声再生手段２０６は、音声選択手段２０５によって選択された音声信号を再生する。
画像・音声決定手段２０７は、例えば、スイッチ等の入力手段であり、画像表示装置１０から出力される複数の画像や音声のうち、視聴対象の画像や音声を選択する選択指示を、外部からユーザによって押下されることで入力し、この選択指示に応じた画像を画像選択手段２０２に選択させるとともに、音声を音声選択手段２０５に選択させる。
【００２５】
次に、上述した構成の画像音声再生システムの動作について、図４を用いて説明する。
図４は、画像音声再生システムの動作を説明するタイミングチャートである。
画像入力手段１０１は、ＡチャンネルとＢチャンネルである２つの画像信号を入力する。ここでは、図４（ａ）、（ｂ）に示すように、ＡチャンネルとＢチャンネルの映像信号に含まれるそれぞれの画像フレームが、同じタイミングで入力される。例えば、ＡチャンネルとＢチャンネルがいずれも１２０Ｈｚである場合、１／１２０秒毎に、それぞれ１つのフレームが同じタイミングで入力される。ここでは、Ａチャンネルの映像信号の１フレーム（Ａｎ−２）と、Ｂチャンネルの映像信号の１フレーム（Ｂｎ−２）が同じタイミングで入力された後の画像フレームも同様に、同じタイミングで入力される。
【００２６】
画像生成手段１０２は、画像入力手段１０１が入力した映像信号を１つの映像信号として生成する。ここでは、Ａチャンネルの画像フレームとＢチャンネルの画像フレームを交互に配列する。例えば、図４（ｃ）に示すように、１つのＡチャンネルの画像フレームと１つのＢチャンネルの画像フレームとで１／６０秒に収まるように配列する。例えば、Ａチャンネルの映像信号のフレーム（Ａｎ−２）の次にＢチャンネルの映像信号の１フレーム（Ｂｎ−１）が配置される。以降の映像信号においても、Ａチャンネルの映像信号の画像フレームの次にＢチャンネルの映像信号の画像フレームが配列される。
これにより、画像表示手段１０３には、１／１２０秒毎に、Ａチャンネルの画像フレームとＢチャンネルの画像フレームとが交互に表示される。言い換えると、Ａチャンネルの画像フレームとＢチャンネルの画像フレームは、１枚ずつ交互に間引いて画像が生成される。この場合、入力される映像信号に対し、画像の遅れがなく生成することができる。
【００２７】
ここで、入力される画像信号の他の例を説明する。図５は、入力される画像信号の他の例を説明する図である。
この図において、（ａ）、（ｂ）に示すように、ＡチャンネルとＢチャンネルの映像信号に含まれるそれぞれの画像フレームは、同じタイミングで入力される。例えば、ＡチャンネルとＢチャンネルがいずれも６０Ｈｚである場合、１／６０秒毎に、それぞれ１つのフレームが同じタイミングで入力される。ここでは、Ａチャンネルの映像信号の１フレーム（Ａｎ−１）と、Ｂチャンネルの映像信号の１フレーム（Ｂｎ−１）が同じタイミングで入力された後の画像フレームも同様に、同じタイミングで入力される。
このような映像信号が入力される場合、画像生成手段１０２は、同じタイミングで受信ンしたＡチャンネルの画像フレームとＢチャンネルの画像フレームとが入力されると、入力された次の１／１２０秒の周期において、Ａチャンネルの画像フレームの次にＢチャンネルの画像フレームを配列する。例えば、図５（ｃ）に示すように、１つのＡチャンネルの画像フレームと１つのＢチャンネルの画像フレームとで１／６０秒に収まるように配列する。例えば、時刻ｔ０において、Ａチャンネルの映像信号のフレーム（Ａｎ−１）とＢチャンネルの映像信号のフレーム（Ｂｎ−１）とを受信すると、次の１／１２０秒の周期であるＴ１において、Ａチャンネルの映像信号のフレーム（Ａｎ−１）の次にＢチャンネルの映像信号のフレーム（Ｂｎ−１）を配列する。映像信号を受信した次の周期において映像信号の画像フレームを配列する。
【００２８】
一方、音声送信手段１０６は、音声生成手段１０５から出力される第１および第２の音声信号を無線によって送信する。電波によって出力する場合には、異なる周波数帯域（チャンネル）で第１及び第２の音声を出力するか、同じ周波数帯を用いる場合には、変調を変えて出力する。赤外線によって出力する場合には、変調を変えて第１及び第２の音声を出力する。また、第１および第２の音声信号の送信時間を細かく分割し、あたかもひとつの周波数で複数の通信を行う時分割を用いても良い。
【００２９】
同期信号生成手段１０７は、画像生成手段１０２によって生成された映像信号に含まれる、第１のチャネルの画像フレームの出力タイミングに応じて第１のチャネルの音声信号を出力させる第１の同期信号を生成するとともに、第２のチャネルの画像フレームの出力タイミングに応じて第２のチャンネルの音声信号を出力させる第２の同期信号を生成する。
同期信号生成手段１０７から出力される同期信号を図４（ｄ）に示す。
同期信号は、予め設定された基準値があり、この基準値よりも高いレベルの信号と低いレベルの信号とによって、第１及び第２の音声信号に対応する同期タイミングを表す。例えば、基準値より高いレベルを選択している間は、この高いレベルによって表される識別情報に対応する第１のチャンネルに応じた第１の音声信号を出力することを表し、基準値よりも低いレベルを選択している間は、この低いレベルによって表される識別情報に対応する第２のチャンネルに応じた第２の音声信号を出力することを表す。
図４（ｄ）に示す同期信号は、基準値よりも高いレベルと低いレベルを用いて表す場合であるが、図４（ｈ）に示すように、基準値よりも高いレベルである第１のレベルと、この第１のレベルよりも高いレベルである第２のレベルを用いて表すようにしてもよい。なお、基準値よりも低いレベルである第３のレベルと、この第３のレベルよりも低いレベルである第４のレベルを用いて表すようにしてもよい。このように、同期信号は、１つの信号を用いる場合、異なるレベルを用いて各チャンネルを識別できればよい。
【００３０】
この場合、再生システム２０において、第１の音声信号と第２の音声信号のどちらを再生するかについて、ユーザからの画像・音声決定手段２０７を介して入力される選択指示に従って再生する。これにより、高いレベルを選択されると、第１のチャンネルに応じた音声を再生し、低いレベルを選択されると、第２のチャンネルに応じた音声を再生する。
【００３１】
この選択の仕方としては、画像・音声決定手段２０７の音声を切り替えるスイッチが押下される毎に、Ａチャンネルの音声、Ｂチャンネル音声をトグル操作によって切り替えることができる。また、画像については、音声を選択する他に、画像・音声決定手段２０７の画像を切り替えるスイッチが押下される毎に、Ａチャンネルの画像、Ｂチャンネルの画像をトグル操作によって切り替えることができる。
【００３２】
ここでは、この同期信号を用いて画像の再生も行われる。すなわち、画像・音声決定手段２０７によって選択対象が選択されると、その選択されたチャンネルに応じた同期信号に基づいて、画像選択手段２０２が画像を選択し、シャッターの開閉を行う。例えば、第１の再生システム２０では、図４（ｃ）における信号の前半側の画像フレーム（例えば、画像フレーム（Ａｎ−１）、・・・、（Ａｎ＋３））のタイミングの画像フレームを表示（透過）するようにシャッターが動作することで、Ａチャンネルの番組が再生される。これにより、第１の再生システム２０を利用しているユーザは、Ｂチャンネルの画像を見ることなく、Ａチャンネルの画像のみを見ることができる。
一方、第２の再生システム２０では、図４（ｃ）における信号の後半側の画像フレーム（例えば、画像フレーム（Ｂｎ−１）、・・・、（Ｂｎ＋３）のタイミングの画像フレームを受信するようにシャッターが動作し、第２の同期信号に従って第２の音声を再生する。これにより、第２の再生システム２０を利用しているユーザは、Ａチャンネルの画像を見ることなく、Ｂチャンネルの画像のみを見ることができる。
【００３３】
この実施形態によれば、複数人のうち、ユーザａは、Ａチャンネルの画像を見ながら、Ａチャンネルの音声を聞くことができ、別のユーザｂは、Ｂチャンネルの画像を見ながら、Ｂチャンネルの音声を聞くことができる。そして、ユーザａは、Ａチャンネルの画像を見ながら、Ｂチャンネルの音声のみを聞きたい場合は、音声を切り替えることで、Ａチャンネルの画像を見ながら、裏番組であるＢチャンネルの音声を聞くこともできる。この場合、ユーザｂは、Ｂチャンネルの画像と音声を視聴している。
【００３４】
上述した実施形態において、図４（ｄ）に示すように、２つのチャンネルの同期信号を１つにしたので、１つの周波数帯を用いるようにすることができる。例えば、２つの周波数帯を用いる場合には、一方の周波数帯は正常に通信できたとしても、他方の周波数帯は、他の通信でも用いられるような混雑した周波数帯であったとすると、ノイズが多くなってしまう可能性がある。すなわち、ノイズの影響を受けにくい周波数帯を２つ用意することが難しい場合がある。そこで、予めノイズの影響を受けにくい１つの周波数帯の無線信号によって送信することで、ノイズの影響を受けにくくすることができる。
【００３５】
次に、他の実施形態について説明する。上述の実施形態においては、画像表示装置１０から、２つのチャンネルの画像と音声を出力し、この出力された画像と音声のうち、どのチャンネルの画像や音声を再生するかについて、再生システム２０側で、ユーザの指示に応じて選択する場合について説明したが、この実施形態においては、画像表示装置１０側において選択する場合について説明する。
【００３６】
図６は、第２の実施形態における再生システム２０の構成を説明する図である。
同期信号入力手段２５１、選択画像表示手段２５３、音声受信手段２５４、音声再生手段２５６は、図３の同期信号入力手段２０１、選択画像表示手段２０３、音声受信手段２０４、音声再生手段２０６の各部と同様の機能を有している。
画像選択手段２５２は、同期信号送信手段１０８から送信される同期信号に従って、画像を選択する。音声選択手段２５５は、同期信号送信手段１０８から送信される同期信号に従って、音声を選択する。
【００３７】
ここでは、画像表示装置１０の同期信号生成手段１０７は、複数ある再生システム２０毎に、識別可能な同期信号を生成して同期信号送信手段１０８から送信する。例えば、第１の再生システム２０に割り当てられた周波数帯を用いて第１の第１の再生システム２０が受信可能な同期信号を送信し、第２の再生システム２０に割り当てられた周波数帯（第１の再生システム２０に割り当てられた周波数帯とは異なる周波数帯）を用いて第２の再生システム２０が受信可能な同期信号を送信する。赤外線によって出力する場合には、変調を変えて同期信号を送信する。
【００３８】
ここで、図４を用いてさらに説明する。図４（ｃ）に示す画像信号に従い、画像が生成されると、画像表示装置１０の同期信号生成手段１０７は、この画像信号に応じて、第１の再生システム２０に送信する第１の同期信号（図４（ｅ））と、第２の再生システム２０に送信する第２の同期信号（図４（ｆ））とを生成する。第１の同期信号は、Ａチャンネルの画像フレーム（Ａｎ−１）が出力される間、例えば、画像フレーム（Ａｎ−１）の信号がオンとなっている間、同じタイミングでオンとなっている。第２の同期信号は、Ｂチャンネルの画像フレーム（Ｂｎ−１）が出力される間、例えば、画像フレーム（Ｂｎ−１）の信号がオンとなっている間、同じタイミングでオンとなっている。
【００３９】
さらに、この第１の同期信号と第２の同期信号は、それぞれ第１の再生システム２０と第２の再生システム２０に割り当てられた周波数帯を用いて送信されるため、第１の再生システム２０では、Ａチャンネルの画像と音声が再生され、第２の再生システム２０では、Ｂチャンネルの画像と音声が再生される。ここで、音声信号は、Ａチャンネルの音声について第１の再生システム２０が受信可能な周波数帯を用いて送信されるため、第１の再生システム２０ではＡチャンネルに応じた音声が再生され、Ｂチャンネルの音声について第第２の再生システム２０が受信可能な周波数帯を用いて送信されるため、第２の再生システム２０ではＢチャンネルに応じた音声が再生される。
【００４０】
この実施形態においては、画像表示装置１０側において、チャンネルを変更することにより、第１の再生システム２０や第２の再生システム２０によって視聴するチャンネルが変更される。
【００４１】
次に、第３の実施形態について説明する。
この実施形態においては、画像表示装置１０において、再生対象のチャンネルを変更する場合について説明する。
図７は、画像表示装置１０に備えられるリモコンの一部を表す図である。このリモコンには、複数の画像のうち視聴対象の画像を選択する選択指示を外部から入力し、当該選択指示に応じた画像を前記受信装置の画像選択部に選択させる画像選択部が設けられる。
具体的には、第１の再生システム２０で視聴しているユーザは、このリモコンで第１の再生システム２０を利用していることを表すボタンを押し、視聴したい番組（例えばスポーツ番組）を選択し、操作ボタン（符号ａ）によってＡチャンネルを選択して決定ボタンを押すと、画像表示装置１０は、選択されたスポーツ番組をＡチャンネルとして割り当てる。そして、このＡチャンネルとしてスポーツ番組を画像表示手段１０３に表示するとともに、スポーツ番組の音声信号をＡチャンネルに割り当てて第１の音声信号として音声送信手段１０６から出力する。ここでは、選択されたＡチャンネルが、表示欄（符号ｂ）に「Ａ」として表示される。
【００４２】
一方、第２の再生システム２０で視聴しているユーザは、このリモコンで第２の再生システム２０を利用していることを表すボタンを押し、視聴したい番組（例えばニュース番組）を選択し、操作ボタン（符号ａ）によってＢチャンネルを選択して決定ボタンを押すと、画像表示装置１０は、選択されたニュース番組をＢチャンネルとして割り当てる。そして、このＢチャンネルとしてニュース番組を画像表示手段１０３に表示するとともに、ニュース番組の音声信号をＡチャンネルに割り当てて第２の音声信号として音声送信手段１０６から出力する。ここでは、選択されたＢチャンネルが、表示欄に「Ｂ」として表示される。
【００４３】
このように、リモコンを用いて番組が選択されると、第１の実施形態の再生システム２０を用いた場合、ユーザは、自身が装着する再生システム２０の操作ボタンを押すことによって、スポーツ番組かニュース番組を視聴することができる。また、スポーツ番組を見ながら、ニュース番組の音声を聞く、等、画像と音声を別のチャンネルにすることもできる。
また、第２の実施形態の再生システム２０を用いた場合、ユーザは、リモコンによって番組を選択することで、自身の再生システム２０で番組を視聴することができる。
【００４４】
図８は、再生システム２０が画像及び音声を選択する手順を表すフローチャートである。
再生システム２０は、選択された画像チャンネルがＡであるかＢであるかを判定する（ステップＳ１０１）。画像チャンネルとしてＡチャンネルが選択されている場合には（ステップＳ１０２）、画像チャンネルと現在選択されている音声チャンネルが同じであるかを判定する（ステップＳ１０３）。画像チャンネルと音声チャンネルが同じである場合には、Ａチャンネルの画像を再生するとともに、Ａチャンネルの音声を再生する（ステップＳ１０５）。
【００４５】
ステップＳ１０３において、画像チャンネルと音声チャンネルが異なる場合には、音声チャンネルとしてＢチャンネルを選択し（ステップＳ１０６）、Ａチャンネルの画像を再生するとともに、Ｂチャンネルの音声を再生する（ステップＳ１０７）。
【００４６】
一方、ステップＳ１０１において、画像チャンネルとしてＢチャンネルが選択されていると（ステップＳ１０８）、画像チャンネルと現在選択されている音声チャンネルが同じであるかを判定する（ステップＳ１０９）。画像チャンネルと音声チャンネルが同じである場合には、Ｂチャンネルの画像を再生するとともに、Ｂチャンネルの音声を再生する（ステップＳ１１１）。
【００４７】
ステップＳ１０９において、画像チャンネルと音声チャンネルが異なる場合には、音声チャンネルとしてＡチャンネルを選択し（ステップＳ１１２）、Ｂチャンネルの画像を再生するとともに、Ａチャンネルの音声を再生する（ステップＳ１１３）。
【００４８】
図９は、図２に示す画像表示装置１０の他の実施形態を表すブロック図である。
この図において、図２の各部に対応する部分に同一の符号を付し、その説明を省略する。
選局手段３０１は、例えばチューナであり、複数ある番組（チャンネル）の中から、ユーザによって指定される番組を選択して受信する。復調手段３０２は、選局手段３０１によって受信した信号を復調する。分離手段３０３は、復調手段によって復調された信号を映像信号と音声信号に分離する。映像復号手段３０４は、分離手段３０３によって分離された映像信号を復号して画像生成手段１０２に出力する。音声復号手段３０５は、分離手段３０３から出力された音声信号を復号して音声生成手段１０５に出力する。
選局手段３５１、復調手段３５２、分離手段３５３は、選局手段３０１、復調手段３０２、分離手段３０３と同様の機能を有する。映像復号手段３５４は、分離手段３５３によって分離された映像信号を復号して画像生成手段１０２に出力する。音声復号手段３５５は、分離手段３５３から出力された音声信号を復号して音声生成手段１０５に出力する。
【００４９】
このような構成によれば、複数の番組を受信し、画像を１つの画面で出力するとともに、出力対象の複数の画像に対応した音声を出力することができ、同期信号を用いて、音声を再生することができる。
【００５０】
以上説明した実施形態によれば、例えば、以下のような場面に用いることができる。
（１）適用例その１
１台の大型液晶テレビの画面に、例えばスポーツ番組とニュース番組とを同時に表示する。それを、複数人のユーザのそれぞれに、再生システム２０を着用してもらうことで、複数のユーザが、スポーツ番組か、ニュース番組かを視聴することができる。ここで、第１の実施形態における再生システム２０を用いた場合には、各ユーザが、自身の再生システム２０を操作することで、ニュース番組とスポーツ番組とのうち、画像や音声を選択して視聴することができる。
従来であれば、１つの画面においてフルサイズでスポーツ番組を表示し、表示画面の隅に小さくニュース番組を表示することで、１つの画面を用いて複数の番組を視聴するようにしていた（例えば、音声は、フルサイズで表示された番組のものが出力される）。本実施形態によれば、１つの表示画面を用いて、複数の番組をフルサイズで表示することができ、自身が視聴したい番組の音声を聞くことができる。
【００５１】
（２）適用例その２
外国語映画等を視聴する場合、例えば、あるユーザは、外国語音声を聞き、字幕無しの画像を見ることで映画を視聴し、他のユーザは、外国語音声を聞き、外国語字幕が表示された画像を見ることで映画を視聴する。そして、他のユーザは、外国語音声を理解しやすい場面では、字幕無しの映像に切り替え、外国語音声を理解しにくい場面では、字幕ありの画像に切り替えることもできる。
また、字幕無しの外国語映画を見る場合、まず日本語吹き替えの音声で視聴してストーリーを理解し、次に、外国語音声で視聴する。あるいは、外国語音声を聞く場合、まず日本語字幕の映像を見てストーリーを理解し、次に、外国語字幕映像を視聴する。また、外国語音声を聞く場合、上級者は、字幕無しの映像をみてストーリーを理解する。初心者は、外国語字幕映像を見る。
これにより、単に映画を視聴するだけでなく、語学の学習にも用いることができる。
【００５２】
（３）適用例その３
展示会など、来場客と係員が混在する場所において、来場客に知られないように、業務連絡や作業指示を行うことができる。
例えば、展示会で入場者に説明用のチャンネルのみ視聴可能な再生システム２０を配布し、係員には、説明用と場内管理用の両方のチャンルを視聴可能な再生システム２０を配布する。画像表示装置１０では、展示品の説明用映像と場内管理用との両方の映像を表示する。そして、係員は、必要に応じて、説明用のコンテンツを視聴するか、場内管理用のコンテンツを視聴するかを切り替えることによって、必要なコンテンツを視聴する。
【００５３】
また、図１における画像表示装置１０、再生システム２０の機能を実現するためのプログラムをコンピュータ読み取り可能な記録媒体に記録して、この記録媒体に記録されたプログラムをコンピュータシステムに読み込ませ、実行することにより画像・音声の再生を行ってもよい。なお、ここでいう「コンピュータシステム」とは、ＯＳや周辺機器等のハードウェアを含むものとする。
【００５４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００５５】
以上、この発明の実施形態について図面を参照して詳述してきたが、具体的な構成はこの実施形態に限られるものではなく、この発明の要旨を逸脱しない範囲の設計等も含まれる。
【符号の説明】
【００５６】
１  画像音声再生システム
１０  画像表示装置
２０  再生システム
２１  画像再生装置
２２  音声再生装置
１０１  画像入力手段
１０２  画像生成手段
１０３  画像表示手段
１０４  音声入力手段
１０５  音声生成手段
１０６  音声送信手段
１０７  同期信号生成手段
１０８  同期信号送信手段
２０１、２５１  同期信号入力手段
２０２、２５２  画像選択手段
２０３、２５３  選択画像表示手段
２０４、２５４  音声受信手段
２０５、２５５  音声選択手段
２０６、２５６  音声再生手段
２０７  画像・音声決定手段
３０１、３５１  選局手段
３０２、３５２  復調手段
３０３、３５３  分離手段
３０４、３５４  映像復号手段
３０５、３５４  音声復号手段
【図１】
2012191507.tif 000003
【図２】
2012191507.tif 000004
【図３】
2012191507.tif 000005
【図４】
2012191507.tif 000006
【図５】
2012191507.tif 000007
【図６】
2012191507.tif 000008
【図７】
2012191507.tif 000009
【図８】
2012191507.tif 000010
【図９】
2012191507.tif 000011